(57)【要約】【課題】ソーラーパネルを備えた電子機器であって、表示パネルの背後に設けられる遮光用の部品が少なくて済む電子機器を提供する。【解決手段】電子機器１は、少なくとも一部に光透過性を有した壁部１４と、この壁部１４と対向した開口部２２とが設けられた筐体１１と、筐体１１に収容され、前記開口部２２から露出して画像を表示する第１の発光面２１とこの第１の発光面２１とは反対側に位置する第２の発光面２５とを有した表示パネル１５と、筐体１１の壁部１４と表示パネル１５の第２の発光面２５との間に配置され、壁部１４に対向した受光面２８を有するとともに、第２の発光面５５の少なくとも一部を覆ったソーラーパネル１６と、表示パネル１５の第２の発光面２５とソーラーパネル１６との間の隙間Ｓの周囲を塞ぎ、第２の発光面２５から放出された光が隙間Ｓから漏れるのを遮光する遮光部材３６と具備する。【選択図】      図６
2011008086.tif 000002
【特許請求の範囲】
【請求項１】
少なくとも一部に光透過性を有した壁部と、この壁部と対向した開口部とが設けられた筐体と、
前記筐体に収容され、前記開口部から露出して画像を表示する第１の発光面と、この第１の発光面とは反対側に位置する第２の発光面とを有した表示パネルと、
前記筐体の壁部と前記表示パネルの第２の発光面との間に配置され、前記壁部に対向した受光面を有するとともに、前記第２の発光面の少なくとも一部を覆ったソーラーパネルと、
前記表示パネルの第２の発光面と前記ソーラーパネルとの間の隙間の周囲を塞ぎ、前記第２の発光面から放出された光が前記隙間から漏れるのを遮光する遮光部材と、
を具備したことを特徴とする電子機器。
【請求項２】
請求項１の記載において、
前記ソーラーパネルは、前記表示パネルの第２の発光面に対向した第２の受光面を有したことを特徴とする電子機器。
【請求項３】
請求項２の記載において、
前記遮光部材は、前記表示パネルの周縁部に沿うフレーム状に形成され、前記表示パネルの周縁部と前記ソーラーパネルの周縁部との間に挟まれていることを特徴とする電子機器。
【請求項４】
請求項３の記載において、
前記壁部は、透明または半透明に形成された壁本体部と、この壁本体部に設けられ、前記ソーラーパネルに対向する領域の少なくとも一部に光半透過部を有した加飾層とを備えたことを特徴とする電子機器。
【請求項５】
請求項４の記載において、
前記加飾層は、前記光半透過部が設けられた領域以外の残りの領域に光不透過部を有したことを特徴とする電子機器。
【請求項６】
請求項５の記載において、
前記光不透過部は、前記壁部の周縁部に設けられたことを特徴とする電子機器。
【請求項７】
請求項６の記載において、
前記壁部は、前記ソーラーパネルに対向する部分に、当該壁部の肉厚が薄くなる窪み部を有したことを特徴とする電子機器。
【請求項８】
請求項３の記載において、
前記壁部は、透明または半透明に形成された壁本体部と、この壁本体部に設けられ、光半透過性を有した加飾層と、当該壁部の周縁部において前記壁本体部の内面に取り付けられた不透明の付属部材とを備えたことを特徴とする電子機器。
【請求項９】
請求項１の記載において、
前記筐体は、不透明であるとともに、前記開口部が設けられた第２の壁部を有し、
前記遮光部材は、前記第２の壁部と一体に不透明に形成され、前記第２の壁部から起立して前記表示パネルと前記ソーラーパネルとの間の隙間の周囲を取り囲むリブであることを特徴とする電子機器。
【請求項１０】
請求項１の記載において、
前記壁部は、透明または半透明に形成された壁本体部と、当該壁部の周縁部において前記壁本体部の内面に取り付けられた不透明の付属部材とを備えており、
前記遮光部材は、前記付属部品と一体に不透明に形成され、前記付属部品から起立して前記表示パネルと前記ソーラーパネルとの間の隙間の周囲を取り囲むリブであることを特徴とする電子機器。
【発明の詳細な説明】
【技術分野】
【０００１】
本発明は、ソーラーパネルを備えた電子機器に関する。
【背景技術】
【０００２】
近年、ソーラーパネルを備えた電子機器が提供されている。特許文献１は、表示部の筐体内にソーラーパネルが搭載された携帯型キー入力装置を開示している。このソーラーパネルは、表示部から引き出し自在に設けられており、表示部から引き出された状態で受光可能になる。非特許文献１は、表示部の筐体内にソーラーパネルを搭載した携帯電話機を開示している。
【先行技術文献】
【特許文献】
【０００３】
【特許文献１】実開平４−８６９２５号公報
【非特許文献】
【０００４】
【非特許文献１】“SOLAR PHONE”、［Online］、株式会社ＫＤＤＩホームページ、［平成２１年６月１６日検索］、インターネット＜URL:http://k-tai.auone.jp/model/sh002/special/＞
【発明の概要】
【発明が解決しようとする課題】
【０００５】
ところで、例えば液晶ディスプレイのような表示パネルは、表示画面に画像を表示する際に、表示画面とは反対側となる表示パネルの背面からも光を放出する。そのため、本発明者は、表示パネルの背面からの光が外部に漏れないように、表示パネルの背後に遮光用の構造を設けることも考えている。しかしながらこの遮光用の構造は、表示パネルの背面を覆うため比較的大きな構造になるとともに、電子機器の部品点数を増加させてしまう。
【０００６】
本発明の目的は、ソーラーパネルを備えた電子機器であって、表示パネルに対して設けられる遮光用の部品が少なくて済む電子機器を提供する。
【課題を解決するための手段】
【０００７】
本発明の一つの形態に係る電子機器は、少なくとも一部に光透過性を有した壁部とこの壁部と対向した開口部とが設けられた筐体と、前記筐体に収容され、前記開口部から露出して画像を表示する第１の発光面とこの第１の発光面とは反対側に位置する第２の発光面とを有した表示パネルと、前記筐体の壁部と前記表示パネルの第２の発光面との間に配置され、前記壁部に対向した受光面を有するとともに、前記第２の発光面の少なくとも一部を覆ったソーラーパネルと、前記表示パネルの第２の発光面と前記ソーラーパネルとの間の隙間の周囲を塞ぎ、前記第２の発光面から放出された光が前記隙間から漏れるのを遮光する遮光部材と具備する。
【発明の効果】
【０００８】
本発明によれば、ソーラーパネルを備えた電子機器において、表示パネルの背後に設けられる遮光用の部品が少なくて済む。
【図面の簡単な説明】
【０００９】
【図１】本発明の第１の実施形態に係る電子機器の斜視図である。
【図２】図１中に示された電子機器の斜視図である。
【図３】図１中に示された電子機器の表示部の一部を分解して示す斜視図である。
【図４】図１中に示された電子機器の平面図である。
【図５】図１中に示された電子機器の平面図である。
【図６】図５中に示された電子機器の表示部のＦ６−Ｆ６線に沿う断面図である。
【図７】本発明の第２の実施形態に係る電子機器の表示部の一部を分解して示す斜視図である。
【図８】本発明の第２の実施形態に係る電子機器の表示部の断面図である。
【図９】本発明の第３の実施形態に係る遮光部材を示す斜視図である。
【図１０】本発明の第４の実施形態に係る電子機器の表示部の断面図である。
【図１１】本発明の第５の実施形態に係る電子機器の表示部の断面図である。
【発明を実施するための形態】
【００１０】
以下に本発明の実施の形態を、ノートブック型パーソナルコンピュータ（以下、ノートＰＣ）に適用した図面に基づいて説明する。
【００１１】
（第１の実施形態）  
図１ないし図６は、本発明の第１の実施形態にかかる電子機器１を開示している。電子機器１は、例えばノートＰＣである。なお本発明が適用可能な電子機器は、上記に限定されない。本発明は、例えば設置型の各種情報処理装置などを含む種々の電子機器に広く適用可能である。
【００１２】
図１に示すように、電子機器１は、本体部２と、表示部３と、ヒンジ部４ａ，４ｂとを備えている。本体部２は、メイン回路基板を搭載した電子機器本体である。本体部２は、本体筐体５を有する。本体筐体５は、上壁６、周壁７、および下壁８を有し、箱状に形成されている。
【００１３】
下壁８は、電子機器１を載置面（例えば机上）に置いた時に、その載置面に向かい合う壁部である。下壁８は、載置面に対して略平行になるように広がっている。上壁６は、下壁８との間に空間を空けて、下壁８と略平行（すなわち略水平）に広がっている。上壁６には、キーボード９が取り付けられている。周壁７は、下壁８に対して起立しており、下壁８の周縁部と上壁６の周縁部との間を繋いでいる。
【００１４】
図１に示すように、本体部２は、第１の端部である後端部２ａと、第２の端部である前端部２ｂとを有している。後端部２ａには、例えば一対のヒンジ部４ａ，４ｂにより、表示部３が回動可能に連結されている。前端部２ｂは、本体部２のなかで後端部２ａとは反対側となる端部である。なお本明細書では、ユーザーから見て近い方を前、遠い方を後と定義する。また、ユーザーから見た状態を基準に左右を定義する。
【００１５】
一対のヒンジ部４ａ，４ｂは、表示部３を、本体部２の後端部２ａに回動可能に連結している。これにより表示部３は、本体部２を上方から覆うように倒される閉じ位置と、本体部２に対して立て起こされる開き位置との間で回動可能である。
【００１６】
図１および図６に示すように、表示部３は、表示筐体１１を備えている。表示筐体１１は、本発明でいう「筐体」の一例である。表示筐体１１は、前壁１２、周壁１３、および背壁１４を有し、箱状に形成されている。背壁１４は、本発明でいう「壁部」の一例である。前壁１２は、本発明でいう「第２の壁部」の一例である。表示筐体１１には、表示パネル１５およびソーラーパネル１６（太陽パネル）が収容されている。なお本明細書では、表示部３に関しては立て起こされた姿勢を基準にして前後を定義している。
【００１７】
前壁１２は、表示部３が倒されたときに本体筐体５の上壁６に対向するとともに、表示部３が立て起こされたときにユーザーに向かい合う。前壁１２は、表示パネル１５の表示画面２１を外部に露出させる比較的大きな開口部２２を有する。開口部２２は、背壁１４に対向している。
【００１８】
図２および図６に示すように、背壁１４は、表示筐体１１のなかで前壁１２とは反対側に位置する。背壁１４は、前壁１２との間に表示パネル１５およびソーラーパネル１６を収容する収容空間を空けるとともに、前壁１２と略平行に広がっている。背壁１４は、前壁１２とは反対側から表示パネル１５およびソーラーパネル１６に対向している。背壁１４は、表示部３が倒されたときに上方に向く。周壁１３は、背壁１４に対して起立しており、前壁１２の周縁部と背壁１４の周縁部との間を繋いでいる。
【００１９】
図６に示すように、表示筐体１１は、前壁１２を有したマスク部材２３と、周壁１３および背壁１４を有したカバー部材２４とを備えている。カバー部材２４の一例は、いわゆるＬＣＤカバーである。マスク部材２３がカバー部材２４に組み合わされることで表示筐体１１が形成されている。マスク部材２３は、光不透過性の材料で形成され、不透明である。
【００２０】
表示パネル１５の一例は、液晶ディスプレイ（ＬＣＤ：Liquid Crystal Display）である。図１および図６に示すように、表示パネル１５は、表示画面２１、背面２５、および周面２６を有している。表示画面２１は、本発明でいう「第１の発光面」の一例である。表示画面２１は、例えば映像や画像が表示される面であり、前壁１２の開口部２２を通じて外部に露出されている。背面２５は、表示パネル１５のなかで表示画面２１とは反対側（裏側）に位置した面であり、表示画面２１と略平行に広がっている。背面２５は、表示筐体１１の背壁１４に対向している。背面２５は、図示しない回路基板やケーブルなどが取り付けられており、凹凸を有する。周面２６は、背面２５に対して垂直に広がっている。
【００２１】
表示パネル１５は、表示画面２１に画像や映像を表示する時に、背面２５からも光を放出する。表示パネル１５は、例えば輝度が比較的高いパネルであり、表示画面２１と同程度の光を背面２５からも放出する。背面２５は、本発明でいう「第２の発光面」の一例である。
【００２２】
図２、図３および図６に示すように、ソーラーパネル１６は、表示筐体１１の背壁１４と表示パネル１５の背面２５との間に配置され、表示パネル１５と平行になっている。ソーラーパネル１６は、表示パネル１５の背面２５の少なくとも一部を覆っている。本実施形態に係るソーラーパネル１６の外形は、例えば表示パネル１５の外形と略同じ大きさである。換言すれば、ソーラーパネル１６は、表示パネル１５の背面２５の略全部を覆っている。ソーラーパネル１６は、例えば両面受光のタイプであり、表示筐体１１の背壁１４に対向した第１の受光面２８と、表示パネル１５の背面２５に対向した第２の受光面２９と、周面３０とを有している。
【００２３】
第１の受光面２８は、後述するように表示筐体１１の背壁１４を透過した外光を受光する。第２の受光面２９は、表示パネル１５の背面２５から放出される光を受光する。ソーラーパネル１６は、第１および第２の受光面２８，２９の少なくとも一方の受光により発電動作を行う。
【００２４】
図６に示すように、カバー部材２４は、壁本体部３１と、この壁本体部３１の表面３１ａに形成された加飾層３２とを有する。壁本体部３１は、背壁１４から周壁１３に亘って設けられている。壁本体部３１は、その全体が透明または半透明の合成樹脂材料で形成されており、光透過性を有する。壁本体部３１は、ソーラーパネル１６の中央部１６ａに対向したカバー中央部３４と、ソーラーパネル１６の周縁部１６ｂに対向したカバー周縁部３５とを有する。
【００２５】
カバー中央部３４とは、例えば前壁１２の開口部２２に対向する領域である。カバー周縁部３５は、例えば開口部２２に対向していない領域である。ソーラーパネル１６の周縁部１６ｂとは、例えば後述するフレーム部材３６に重なる領域である。
【００２６】
図３および図６に示すように、背壁１４は、ソーラーパネル１６に対向する部分に、当該背壁１４の肉厚が薄くなる窪み部３７を有している。具体的には、図６に示すように、カバー中央部３４の肉厚がカバー周縁部３５の肉厚に比べて薄くなっており、これにより窪み部３７が形成されている。カバー中央部３４は、肉厚が薄い分だけ、カバー周縁部３５よりも光を透しやすくなっている。
【００２７】
図６に示すように、加飾層３２は、例えば壁本体部３１の表面３１ａに形成されている。加飾層３２は、例えばインモールド成形のような加飾処理により設けられた表面層であり、例えばフィルム層である。加飾層３２は、例えば印刷などにより光透過性が互いに異なる２つの領域４１，４２に区分けされている。なお図６および後述の図８、図１０、図１１は、加飾層３２を模式的に示したものである。実際の加飾層３２は、図中のように分断されているものではない。
【００２８】
具体的に述べると、加飾層３２は、光半透過部４１（第１の領域、図４中で右斜め下向きのハッチング領域）と、光不透過部４２（第２の領域、図４中で左斜め下向きのハッチング領域）とを有する。光半透過部４１は、光を透過させるが、例えば表示筐体１１の中身（例えばソーラーパネル１６）が外部からほとんど見えない加飾処理が施された領域である。内部がほとんど見えない加飾処理の一例は、ハーフミラーであるが、これに限定されるものではない。
【００２９】
光半透過部４１は、例えば、ソーラーパネル１６が直接見えない程度の透明度をもった加飾層で、少なくともソーラーパネル１６が光を受光し発電可能な透過率（性能）をもった加飾処理である。光半透過部４１は、加飾したカバーを通しても太陽光のエネルギーを比較的効率良くソーラーパネル１６に採光でき、且つ、実装されたソーラーパネル１６が外部から直接に見えないようなバランスで透過率が設定されている。
【００３０】
光半透過部４１は、加飾層３２のなかでソーラーパネル１６に対向する領域の少なくとも一部に設けられている。本実施形態では、図４および図６に示すように、光半透過部４１は、カバー中央部３４の略全域に設けられている。これにより、背壁１４の少なくとも一部が光透過性を有し、ソーラーパネル１６の第１の受光面２８が外光を受光可能になっている。なお「背壁が光透過性を有する」とは、背壁が透明に形成されており全ての光を透過させる場合に加えて、光半透過部を含む加飾層が設けられおり、一部の光を透過させる場合も含む。
【００３１】
光不透過部４２は、光を透過させず、表示筐体１１の中身が見えない加飾処理が施された領域である。図４および図６に示すように、光不透過部４２は、例えば光半透過部４１が設けられた領域以外の残りの領域の全域に設けられている。具体的には、光不透過部４２は、背壁１４の周縁部４４、すなわちカバー周縁部３５に設けられている。これにより、表示筐体１１の周縁部に実装された各種部品などが外部から見えなくなっている。
【００３２】
図３、図５および図６に示すように、表示パネル１５の背面２５とソーラーパネル１６との間には、フレーム部材３６が設けられている。フレーム部材３６は、本発明でいう「遮光部材」の一例であり、表示パネル１５の背面２５とソーラーパネル１６との間の隙間Ｓの周囲を塞ぐ。フレーム部材３６は、例えばスポンジのような光を透過させない材料で形成されている。フレーム部材３６は、表示パネル１５の背面２５から放出された光が隙間Ｓから漏れるのを遮光する。なおフレーム部材３６の材質は、特に限定されるものではなく、遮光性を有するものであればよい。
【００３３】
フレーム部材３６は、例えば表示パネル１５の周縁部およびソーラーパネル１６の周縁部に沿うフレーム状に形成されている。すなわち、フレーム部材３６の外形は、表示パネル１５の外形と略同じ大きさである。フレーム部材３６は、表示パネル１５の周縁部とソーラーパネル１６の周縁部との間に挟まれている。これによりフレーム部材３６は、表示パネル１５の背面２５とソーラーパネル１６との間の隙間Ｓを周囲（全周囲）から取り囲んでいる。すなわち、隙間Ｓは、表示パネル１５、ソーラーパネル１６、およびフレーム部材３６により前後左右上下を取り囲まれ、閉塞されている。
【００３４】
フレーム部材３６の厚さＴは、例えば表示パネル１５の背面２５の凹凸形状（すなわち背面２５に取り付けられた回路基板やケーブル）よりも厚く形成されている。すなわちフレーム部材３６は、スペーサとしても機能し、ソーラーパネル１６が表示パネル１５の背面２５の凹凸に接しないようになっている。
【００３５】
表示パネル１５、ソーラーパネル１６およびフレーム部材３６は、互いに一体化されており、ユニット化された状態で表示筐体１１内に搭載されている。なお、表示パネル１５、ソーラーパネル１６およびフレーム部材３６を一体化する必要性は必ずしもない。ソーラーパネル１６は、カバー部材２４に直接にねじや貼り付けにより固定されてもよい。
【００３６】
次に、電子機器１の作用について説明する。  
表示筐体１１は、加飾層３２を備えているため、壁本体部３１が透明または半透明に形成されていても、ソーラーパネル１６が外部にほとんど見えないようになっている。つまり、本実施形態に係る電子機器１は、ソーラーパネル１６を搭載していない電子機器と外観上はほとんど同じである。
【００３７】
一方で、加飾層３２のソーラーパネル１６に対向する領域に、光半透過部４１が設けられているため、外光が表示部３内に届く。そして、ソーラーパネル１６の第１の受光面２８が外光を受光して発電動作を行う。この発電によりバッテリーの一部が充電される。
【００３８】
さらに、ソーラーパネル１６の第２の受光面２９は、表示画面２１の表示時に表示パネル１５の背面２５から放出される光を受光し、同様に発電動作を行う。この発電によってもバッテリーの一部が充電される。
【００３９】
このような構成によれば、ソーラーパネル１６を搭載するにも関わらずデザイン性が高く、さらに表示パネル１５に対して設けられる遮光用の部品が少なくて済む電子機器１が提供される。詳しく述べると、まず、仮にソーラーパネル１６が外部から見えるような構造であると、電子機器１のデザイン的な一体感が損なわれ、デザイン性を追及することが困難である。
【００４０】
一方、本実施形態のように、壁本体部３１を透明または半透明に形成するとともに、加飾層３２を設けることで、ソーラーパネル１６まで光を透過させるとともに、ソーラーパネル１６を外部から見えなくすることができる。これにより、ソーラーパネル１６を搭載していない電子機器と外観上の見た目が変わらない電子機器１を得ることができる。これにより、電子機器１のデザイン的な一体感を演出することなどにより、電子機器１のデザイン性を高めることができる。
【００４１】
近年の表示パネル１５、例えば高輝度が求められるノートＰＣ用の液晶ディスプレイのような表示パネル１５は、表示画面２１の表示時に背面２５からも光が放出されることが多い。しかしながら、本実施形態に係る電子機器１は、ソーラーパネル１６によって表示パネル１５の背面２５が覆われている。さらに、表示パネル１５の背面２５とソーラーパネル１６との間の隙間Ｓの周囲を塞ぐ遮光部材（フレーム部材３６）が設けられている。
【００４２】
これにより、表示パネル１５の背面２５とソーラーパネル１６との間の隙間Ｓは、表示パネル１５、ソーラーパネル１６、およびフレーム部材３６により閉塞されており、表示パネル１５の背面２５から放出された光が外に漏れないようになっている。そのため、表示パネル１５の背後に遮光用の部品を特別に設ける必要が無くなる。換言すれば、本実施形態では、ソーラーパネル１６と、スペーサとしての役割を有するフレーム部材３６により、遮光構造が実現されており、遮光用の専門部品を設ける必要が無くなる。これにより、表示パネル１５の背後に設けられる遮光用の部品を少なくすることができる。
【００４３】
特に、本実施形態のように、ソーラーパネル１６を内蔵するために表示筐体１１の一部が光透過性を有するように形成されている場合、表示パネル１５の背面２５から放出された光が、上記光透過性を有する部分を通じて表示筐体１１の外部に漏れる可能性がある。この場合、表示筐体１１の内部が明るくなるため、ソーラーパネル１６を外部から見えなくするという加飾層３２の機能が低下し、ソーラーパネル１６が外部から見えるようになる可能性がある。
【００４４】
しかしながら、本実施形態では、表示パネル１５の背面２５がソーラーパネル１６とフレーム部材３６により覆われており、表示パネル１５背面２５からの光が漏れないようになっている。これは、ソーラーパネル１６を内蔵するために表示筐体１１の一部が光透過性を有するように形成されている場合に特に大きな効果となる。
【００４５】
さらに、表示パネル１５の背面２５の略全部がソーラーパネル１６に覆われているため、ソーラーパネル１６に対して、表示パネル１５とソーラーパネル１６との間の隙間Ｓの周囲を塞ぐ比較的小さな部材（本実施形態ではフレーム部材３６）を追加するだけで光漏れを防ぐ遮光構造を実現可能であるため、遮光用の部品を小さくすることもできる。
【００４６】
ソーラーパネル１６が表示パネル１５の背面２５に対向した第２の受光面２９を有すると、表示パネル１５の背面２５から照射される光を有効活用して発電動作を行うことができる。これにより、効率の良い発電を実現することが可能になる。なお、ソーラーパネル１６は、必ずしも両面に受光面を有する必要は無く、少なくとも背壁１４に対向して外光を受光する受光面を有すればよい。
【００４７】
表示パネル１５の周縁部とソーラーパネル１６の周縁部との間に挟まれたフレーム部材３６により、表示パネル１５とソーラーパネル１６との間の隙間Ｓの周囲が塞がれていると、前述したようにスペーサとしての役割を有するフレーム部材３６により、遮光構造の一部が実現されており、遮光用の部品をさらに少なくすることができる。なおフレーム部材３６は、スペーサとしての機能を有さず、遮光用の部品として設けられたものであってもよい。
【００４８】
表示筐体１１の周縁部には、例えばアンテナや各種ケーブルのような種々の部品が実装されている。加飾層３２が背壁１４の周縁部に光不透過部４２を有すると、上記部品が外部から確実に見えなくなるので、外観上の見た目がさらに向上する。
【００４９】
背壁１４が、ソーラーパネル１６に対向する部分に、背壁１４の肉厚が薄くなる窪み部３７を有すると、ソーラーパネル１６に外光がさらに届きやすくなり、ソーラーパネル１６の発電効率がさらに高まる。
【００５０】
（第２の実施形態）
次に、本発明の第２の実施形態にかかる電子機器１について、図７および図８を参照して説明する。なお上記第１の実施形態の構成と同一または類似の機能を有する構成は、同一の符号を付してその説明を省略する。また、下記に説明する以外の構成は、上記第１の実施形態と同じである。
【００５１】
図７および図８に示すように、本実施形態に係る表示筐体１１は、マスク部材２３と、第１および第２のカバー部材５１，５２とを備えている。第１のカバー部材５１は、壁本体部３１と、この壁本体部３１に形成された加飾層３２とを有する。壁本体部３１は、背壁１４から周壁１３に亘って設けられている。壁本体部３１は、その全体が透明または半透明の合成樹脂材料で形成されており、光透過性を有する。
【００５２】
図８に示すように、加飾層３２は、例えば壁本体部３１の表面３１ａに形成されている。なお加飾層３２は、壁本体部３１の内面３１ｂに形成されてもよい。本実施形態に係る加飾層３２は、カバー中央部３４からカバー周縁部３５に亘り（すなわち背壁１４の全体に亘り）、一部の光を透過させるが、例えば表示筐体１１の中身（例えばソーラーパネル１６）がほとんど見えない加飾処理が施されている。すなわち、加飾層３２の全域が光半透過部４１になっている。
【００５３】
第２のカバー部材５２は、本発明でいう「付属部材」の一例である。第２のカバー部材５２は、光不透過性を有する材料で形成され、不透明になっている。図７に示すように、第２のカバー部材５２は、背壁１４の周縁部４４に対応したフレーム状に形成されており、第１のカバー部材５１（すなわち壁本体部３１）の内面３１ｂに取り付けられる。つまり第２のカバー部材５２は、壁本体部３１のカバー周縁部３５を内側から覆う。これにより、背壁１４の周縁部４４は、光を透さなくなる。
【００５４】
このような構成によれば、上記第１の実施形態と同様に、ソーラーパネル１６を搭載するにも関わらずデザイン性が高く、さらに表示パネル１５に対して設けられる遮光用の部品が少なくて済む電子機器１が提供される。
【００５５】
本実施形態のように背壁１４を第１および第２のカバー部材５１，５２の二重構造にすることで、加飾層３２に光不透過部４２を設ける必要が無くなる。そのため、加飾処理のデザインの自由度が向上し、さらにデザイン性に優れた電子機器１を提供することができる。
【００５６】
（第３の実施形態）
次に、本発明の第３の実施形態にかかる電子機器１について、図９を参照して説明する。なお上記第１の実施形態の構成と同一または類似の機能を有する構成は、同一の符号を付してその説明を省略する。また、下記に説明する以外の構成は、上記第１の実施形態と同じである。
【００５７】
図９に示すように、本実施形態に係る電子機器１は、例えばフレーム部材３６が設けられておらず、その代わりにテープ部材６１を備えている。テープ部材６１は、遮光性を有する材料で形成されている。テープ部材６１は、本発明でいう「遮光部材」の一例であり、表示パネル１５の背面２５とソーラーパネル１６との間の隙間Ｓの周囲を塞ぐ。
【００５８】
具体的には、テープ部材６１は、表示パネル１５の周面２６とソーラーパネル１６の周面３０とに貼り付けられ、表示パネル１５とソーラーパネル１６との間の隙間Ｓに沿って表示パネル１５およびソーラーパネル１６の周面２６，３０の全周に巻き付けられている。これにより、テープ部材６１は、表示パネル１５の背面２５とソーラーパネル１６との間の隙間Ｓの周囲を取り囲み、この隙間Ｓから光が漏れることを防いでいる。
【００５９】
このような構成によれば、上記第１の実施形態と同様に、ソーラーパネル１６を搭載するにも関わらずデザイン性が高く、さらに表示パネル１５に対して設けられる遮光用の部品が少なくて済む電子機器１が提供される。なお上記第２の実施形態において、フレーム部材３６の代わりにテープ部材６１を用いてもよい。
【００６０】
（第４の実施形態）
次に、本発明の第４の実施形態にかかる電子機器１について、図１０を参照して説明する。なお上記第１の実施形態の構成と同一または類似の機能を有する構成は、同一の符号を付してその説明を省略する。また、下記に説明する以外の構成は、上記第１の実施形態と同じである。
【００６１】
図１０に示すように、本実施形態に係る電子機器１は、例えばフレーム部材３６が設けられておらず、その代わりにマスク部材２３に設けられたリブ７１を備えている。リブ７１は、本発明でいう「遮光部材」の一例であり、表示パネル１５の背面２５とソーラーパネル１６との間の隙間Ｓの周囲を塞ぐ。
【００６２】
マスク部材２３は、光不透過性の材料で形成されており、不透明である。リブ７１は、マスク部材２３と一体に形成され、不透明である。リブ７１は、前壁１２の内面１２ａから起立し、表示パネル１５の周面２６とソーラーパネル１６の周面３０とに沿って延びている。リブ７１は、前壁１２からフレーム状に起立しており、表示パネル１５とソーラーパネル１６との間の隙間の全周囲を取り囲み、この隙間Ｓから光が漏れることを防いでいる。
【００６３】
このような構成によれば、上記第１の実施形態と同様に、ソーラーパネル１６を搭載するにも関わらずデザイン性が高く、さらに表示パネル１５に対して設けられる遮光用の部品が少なくて済む電子機器１が提供される。なお上記第２の実施形態において、フレーム部材３６の代わりにリブ７１を設けてもよい。
【００６４】
（第５の実施形態）
次に、本発明の第５の実施形態にかかる電子機器１について、図１１を参照して説明する。なお上記第１および第２の実施形態の構成と同一または類似の機能を有する構成は、同一の符号を付してその説明を省略する。また、下記に説明する以外の構成は、上記第２の実施形態と同じである。
【００６５】
図１１に示すように、本実施形態に係る電子機器１は、例えばフレーム部材３６が設けられておらず、その代わりに第２のカバー部材５２（すなわち付属部材）に設けられたリブ８１を備えている。リブ８１は、本発明でいう「遮光部材」の一例であり、表示パネル１５の背面２５とソーラーパネル１６との間の隙間Ｓの周囲を塞ぐ。
【００６６】
第２のカバー部材５２は、光不透過性の材料で形成されており、不透明である。リブ８１は、第２のカバー部材５２と一体に形成され、不透明である。リブ８１は、第２のカバー部材５２の内面５２ａから起立し、表示パネル１５の周面２６とソーラーパネル１６の周面３０とに沿って延びている。リブ８１は、第２のカバー部材５２からフレーム状に起立しており、表示パネル１５とソーラーパネル１６との間の隙間の全周囲を取り囲み、この隙間Ｓから光が漏れることを防いでいる。
【００６７】
このような構成によれば、上記第１の実施形態と同様に、ソーラーパネル１６を搭載するにも関わらずデザイン性が高く、さらに表示パネル１５に対して設けられる遮光用の部品が少なくて済む電子機器１が提供される。
【００６８】
以上、本発明の第１乃至第５の実施形態に係る電子機器１について説明したが、本発明はこれらに限定されるものではない。第１乃至第５の実施形態に係る各構成要素は、適宜組み合わせて用いることができる。また、この発明は上記実施形態そのままに限定されるものではなく、実施段階ではその要旨を逸脱しない範囲で構成要素を変形して具体化できる。
【００６９】
加飾層３２や付属部材（例えば第２のカバー部材５２）は、必須の構成要素ではなく、必要に応じて省略可能である。すなわち、ソーラーパネル１６は、必ずしも隠れている必要は無く、外部から見えてもよい。本発明でいう遮光部材は、上記のものに限定されるものではなく、表示パネル１５の背面２５とソーラーパネル１６との間の隙間の周囲を塞ぎ、この隙間Ｓからの光の漏れを防ぐものであれば、その形状や材質は問わない。ソーラーパネル１６は、必ずしも第２の受光面２９を有する必要は無い。加飾層３２は、カバー中央部３４の全域に光半透過部４１を有する必要はない。光半透過部４１は、カバー中央部３４の一部にだけ設けられていてもよい。背壁１４は、その一部だけに光透過性を有してもよく、その全部に光透過性を有してもよい。
【符号の説明】
【００７０】
Ｓ…隙間、１…電子機器、１１…表示筐体、１４…背壁、１５…表示パネル、１６…ソーラーパネル、２５…背面、２８…第１の受光面、２９…第２の受光面、３１…壁本体部、３２…加飾層、４１…光半透過部、４２…光不透過部、５１…第１のカバー部材、５２…第２のカバー部材、７１，８１…リブ。
【図１】
2011008086.tif 000003
【図２】
2011008086.tif 000004
【図３】
2011008086.tif 000005
【図４】
2011008086.tif 000006
【図５】
2011008086.tif 000007
【図６】
2011008086.tif 000008
【図７】
2011008086.tif 000009
【図８】
2011008086.tif 000010
【図９】
2011008086.tif 000011
【図１０】
2011008086.tif 000012
【図１１】
2011008086.tif 000013